(57)【要約】【課題】導光体を利用して安価に製造することができるとともに、ハンドルグリップ本体において発光手段を配設するための新たな形状を不要とすることができるハンドルグリップ装置を提供する。【解決手段】車両が具備するハンドルバーＨの先端に取り付けられるとともに、基端側に形成された鍔部１ａと運転者が把持可能な把持部１ｂとを有するハンドルグリップ本体１と、光を照射し得るＬＥＤ４と、ハンドルグリップ本体１の内部に取り付けられて当該ハンドルグリップ本体１の長手方向に延設されるとともに、ＬＥＤ４からの光を導くことが可能な導光体５とを備え、導光体５で導かれたＬＥＤ４の光をハンドルグリップ本体１から外部に照射させるハンドルグリップ装置であって、ＬＥＤ４は、ハンドルグリップ本体１の鍔部１ａの内部に配設されたものである。【選択図】図４
2020032989.tif 000002
【特許請求の範囲】
【請求項１】
車両が具備するハンドルバーの先端に取り付けられるとともに、基端側に形成された鍔部と運転者が把持可能な把持部とを有するハンドルグリップ本体と、
光を照射し得る発光手段と、
前記ハンドルグリップ本体の内部に取り付けられて当該ハンドルグリップ本体の長手方向に延設されるとともに、前記発光手段からの光を導くことが可能な導光体と、
を備え、前記導光体で導かれた前記発光手段の光を前記ハンドルグリップ本体から外部に照射させるハンドルグリップ装置であって、
前記発光手段は、前記ハンドルグリップ本体の鍔部の内部に配設されたことを特徴とするハンドルグリップ装置。
【請求項２】
前記導光体の裏面には、その長手方向に亘って微細な凹凸形状が形成されたことを特徴とする請求項１記載のハンドルグリップ装置。
【請求項３】
前記導光体の裏面は、前記ハンドルグリップ本体の基端側の部位より先端側の部位の方が前記凹凸形状が大きくなるよう形成されたことを特徴とする請求項２記載のハンドルグリップ装置。
【請求項４】
前記ハンドルグリップ本体は、前記把持部における所定位置に貫通孔が形成され、当該貫通孔を介して前記導光体で導かれた前記発光手段の光が外部に照射されることを特徴とする請求項１〜３の何れか１つに記載のハンドルグリップ装置。
【請求項５】
前記導光体は、前記貫通孔に嵌入可能な凸部が一体形成されたことを特徴とする請求項４記載のハンドルグリップ装置。
【請求項６】
前記導光体は、前記ハンドルグリップ本体の先端部まで延設されるとともに、当該ハンドルグリップ本体の先端部から前記導光体で導かれた前記発光手段の光が外部に照射されることを特徴とする請求項１〜５の何れか１つに記載のハンドルグリップ装置。
【請求項７】
前記導光体は、前記ハンドルグリップ本体における鍔部の内部に位置する大径部と、前記ハンドルグリップ本体における把持部の内部に位置する延設部と、前記ハンドルグリップ本体における先端部の内部に位置する突端部とを有した一体成形部品から成るとともに、前記発光手段は、前記大径部に取り付けられたことを特徴とする請求項１〜６の何れか１つに記載のハンドルグリップ装置。
【請求項８】
前記大径部は、前記発光手段が形成された基板を嵌合して固定可能な取付溝が形成されたことを特徴とする請求項７記載のハンドルグリップ装置。
【請求項９】
前記導光体は、前記ハンドルバーに対して回転可能なスロットルパイプの表面に形成されるとともに、前記スロットルグリップ本体の一部を充填させて前記スロットルパイプの表面に密着させた開口部を有することを特徴とする請求項１〜８の何れか１つに記載のハンドルグリップ装置。
【発明の詳細な説明】
【技術分野】
【０００１】
本発明は、車両が具備するハンドルバーの先端に取り付けられたハンドルグリップを発光させることができるハンドルグリップ装置に関するものである。
【背景技術】
【０００２】
二輪車等のハンドルバーを具備した車両においては、そのハンドルバーの先端に運転者が把持し得るハンドルグリップが取り付けられている。かかるハンドルグリップは、通常、基端側に形成された鍔部と、運転者が把持可能な把持部とが一体的に形成されたハンドルグリップ本体を有して成り、右側ハンドルバーの先端及び左側ハンドルバーの先端のそれぞれに取り付けられている。
【０００３】
しかるに、従来、ハンドルグリップ本体の先端部に発光手段を取り付けるとともに、ハンドルグリップ本体の内部において長手方向に導光体を延設させ、発光手段からの光を導光体にてハンドルグリップ本体内に導くことにより意匠性を向上させることができるハンドルグリップ装置が開示されている（例えば特許文献１参照）。かかる従来のハンドルグリップ装置によれば、発光手段の光が導光体を介してハンドルグリップ本体内に導かれるので、当該ハンドルグリップ本体を発光させることができる。
【先行技術文献】
【特許文献】
【０００４】
【特許文献１】実用新案登録第３１４６２５５号公報
【発明の概要】
【発明が解決しようとする課題】
【０００５】
しかしながら、上記従来のハンドルグリップ装置においては、導光体にて発光手段の光を導いて発光させているので、発光手段を複数有するものに比べて安価に製造することができるものの、発光手段がハンドルグリップ本体の先端部に配設されているので、当該先端部に発光手段を取り付けるための比較的大きな部位が必要となり、車両のハンドルバー全体を含む意匠性に影響が及んでしまう虞があった。
【０００６】
本発明は、このような事情に鑑みてなされたもので、導光体を利用して安価に製造することができるとともに、ハンドルグリップ本体において発光手段を配設するための新たな形状を不要とすることができるハンドルグリップ装置を提供することにある。
【課題を解決するための手段】
【０００７】
請求項１記載の発明は、車両が具備するハンドルバーの先端に取り付けられるとともに、基端側に形成された鍔部と運転者が把持可能な把持部とを有するハンドルグリップ本体と、光を照射し得る発光手段と、前記ハンドルグリップ本体の内部に取り付けられて当該ハンドルグリップ本体の長手方向に延設されるとともに、前記発光手段からの光を導くことが可能な導光体とを備え、前記導光体で導かれた前記発光手段の光を前記ハンドルグリップ本体から外部に照射させるハンドルグリップ装置であって、前記発光手段は、前記ハンドルグリップ本体の鍔部の内部に配設されたことを特徴とする。
【０００８】
請求項２記載の発明は、請求項１記載のハンドルグリップ装置において、前記導光体の裏面には、その長手方向に亘って微細な凹凸形状が形成されたことを特徴とする。
【０００９】
請求項３記載の発明は、請求項２記載のハンドルグリップ装置において、前記導光体の裏面は、前記ハンドルグリップ本体の基端側の部位より先端側の部位の方が前記凹凸形状が大きくなるよう形成されたことを特徴とする。
【００１０】
請求項４記載の発明は、請求項１〜３の何れか１つに記載のハンドルグリップ装置において、前記ハンドルグリップ本体は、前記把持部における所定位置に貫通孔が形成され、当該貫通孔を介して前記導光体で導かれた前記発光手段の光が外部に照射されることを特徴とする。
【００１１】
請求項５記載の発明は、請求項４記載のハンドルグリップ装置において、前記導光体は、前記貫通孔に嵌入可能な凸部が一体形成されたことを特徴とする。
【００１２】
請求項６記載の発明は、請求項１〜５の何れか１つに記載のハンドルグリップ装置において、前記導光体は、前記ハンドルグリップ本体の先端部まで延設されるとともに、当該ハンドルグリップ本体の先端部から前記導光体で導かれた前記発光手段の光が外部に照射されることを特徴とする。
【００１３】
請求項７記載の発明は、請求項１〜６の何れか１つに記載のハンドルグリップ装置において、前記導光体は、前記ハンドルグリップ本体における鍔部の内部に位置する大径部と、前記ハンドルグリップ本体における把持部の内部に位置する延設部と、前記ハンドルグリップ本体における先端部の内部に位置する突端部とを有した一体成形部品から成るとともに、前記発光手段は、前記大径部に取り付けられたことを特徴とする。
【００１４】
請求項８記載の発明は、請求項７記載のハンドルグリップ装置において、前記大径部は、前記発光手段が形成された基板を嵌合して固定可能な取付溝が形成されたことを特徴とする。
【００１５】
請求項９記載の発明は、請求項１〜８の何れか１つに記載のハンドルグリップ装置において、前記導光体は、前記ハンドルバーに対して回転可能なスロットルパイプの表面に形成されるとともに、前記スロットルグリップ本体の一部を充填させて前記スロットルパイプの表面に密着させた開口部を有することを特徴とする。
【発明の効果】
【００１６】
請求項１の発明によれば、導光体で導かれた発光手段の光をハンドルグリップ本体から外部に照射させるとともに、発光手段は、ハンドルグリップ本体の鍔部の内部に配設されたので、導光体を利用して安価に製造することができるとともに、ハンドルグリップ本体において発光手段を配設するための新たな形状を不要とすることができる。
【００１７】
請求項２の発明によれば、導光体の裏面には、その長手方向に亘って微細な凹凸形状が形成されたので、導光体により導かれる光を凹凸形状により乱反射させることができ、ハンドルグリップ本体の外部に向かって光を良好に照射させることができる。
【００１８】
請求項３の発明によれば、導光体の裏面は、ハンドルグリップ本体の基端側の部位より先端側の部位の方が凹凸形状が大きくなるよう形成されたので、ハンドルグリップ本体の基端側と先端側とで照射される光の量（外部に対する光の照射量）を均等化させることができる。
【００１９】
請求項４の発明によれば、ハンドルグリップ本体は、把持部における所定位置に貫通孔が形成され、当該貫通孔を介して導光体で導かれた発光手段の光が外部に照射されるので、貫通孔の形状や大きさを任意のものとすることにより、光の照射による意匠性をより向上させることができる。
【００２０】
請求項５の発明によれば、導光体は、貫通孔に嵌入可能な凸部が一体形成されたので、導光体で導かれる光を貫通孔から外部に向かって良好に照射させることができる。
【００２１】
請求項６の発明によれば、導光体は、ハンドルグリップ本体の先端部まで延設されるとともに、当該ハンドルグリップ本体の先端部から導光体で導かれた発光手段の光が外部に照射されるので、把持部が運転者によって把持されて覆われていても、ハンドルグリップ本体の先端部から光を照射して意匠性の向上を図ることができる。
【００２２】
請求項７の発明によれば、導光体は、ハンドルグリップ本体における鍔部の内部に位置する大径部と、ハンドルグリップ本体における把持部の内部に位置する延設部と、ハンドルグリップ本体における先端部の内部に位置する突端部とを有した一体成形部品から成るとともに、発光手段は、大径部に取り付けられたので、導光体が発光手段の光を導く機能と、発光手段を固定させる機能とを兼ね備えることができる。また、導光体に発光手段が取り付けられるので、導光体と発光手段との位置決めを正確に行わせることができる。
【００２３】
請求項８の発明によれば、大径部は、発光手段が形成された基板を嵌合して固定可能な取付溝が形成されたので、発光手段が形成された基板を容易且つ確実に取り付けることができる。
【００２４】
請求項９の発明によれば、導光体は、ハンドルバーに対して回転可能なスロットルパイプの表面に形成されるとともに、スロットルグリップ本体の一部を充填させてスロットルパイプの表面に密着させた開口部を有するので、導光体の材質に関わらず、スロットルパイプに対してスロットルグリップ本体をより強固且つ安定して取り付けることができる。
【図面の簡単な説明】
【００２５】
【図１】本発明の実施形態に係るハンドルグリップ装置の外観を示す斜視図
【図２】同ハンドルグリップ装置を示す３面図
【図３】図２におけるＩＩＩ−ＩＩＩ線断面図
【図４】図２におけるＩＶ−ＩＶ線断面図
【図５】図４におけるＶ−Ｖ線断面図
【図６】同ハンドルグリップ装置におけるハンドルグリップ本体を示す斜視図
【図７】同ハンドルグリップ装置におけるスロットルパイプを示す斜視図
【図８】同ハンドルグリップ装置におけるスロットルパイプを示す斜視図
【図９】同ハンドルグリップ装置における導光体を示す斜視図
【図１０】同ハンドルグリップ装置における導光体を示す斜視図
【図１１】同ハンドルグリップ装置における導光体を示す斜視図
【図１２】同ハンドルグリップ装置におけるスロットルパイプに導光体を取り付けた状態を示す斜視図
【図１３】同ハンドルグリップ装置におけるスロットルパイプに導光体を取り付けた状態を示す斜視図
【図１４】同ハンドルグリップ装置における発光体が形成された基板を示す斜視図
【発明を実施するための形態】
【００２６】
以下、本発明の実施形態について図面を参照しながら具体的に説明する。
本実施形態に係るハンドルグリップ装置は、二輪車（車両）が具備する操舵のためのハンドルバーにおける先端（本実施形態においてはハンドルバーの右側先端）に取り付けられたものであり、図１〜５に示すように、ハンドルグリップ本体１と、スロットルパイプ２と、発光手段としてのＬＥＤ４と、導光体５とを有して構成されている。なお、図中符号Ｈは、車両が具備するハンドルバー（ハンドルパイプ）を示している。かかるハンドルバーＨの先端には、ウェイト部材Ｗが締結手段ａによって固定されており、当該ウェイト部材Ｗとハンドルグリップ本体１の先端部１ｃ及び導光体５の突端部５ｄとの間には、所定寸法のクリアランスが形成されている。
【００２７】
ハンドルグリップ本体１は、車両が具備するハンドルバーの先端に取り付けられる（具体的には、ハンドルバーＨの先端に取り付けられたスロットルパイプ２の表面に形成される）とともに、基端側（図１〜４中の左端側）に形成された鍔部１ａと運転者が把持可能な把持部１ｂと、先端部１ｃとを有する。また、ハンドルグリップ本体１は、鍔部１ａ、把持部１ｂ及び先端部１ｃが一体形成された軟質樹脂や合成ゴム材から成る。
【００２８】
さらに、本実施形態に係るハンドルグリップ本体１は、図６に示すように、把持部１ｂにおける所定位置に貫通孔ｍが形成されており、導光体５で導かれたＬＥＤ４からの光が貫通孔ｍを介して外部に照射可能とされている。かかる貫通孔ｍは、その形状や大きさが任意のものとされており、光の照射による意匠性をより向上させることができるようになっている。
【００２９】
スロットルパイプ２は、ハンドルバーＨに対して回転可能な硬質樹脂等から成るもので、図７、８に示すように、その基端側に形成されて操作ワイヤ（不図示）が取り付け可能な取付部位２ａと、取付部位２ａと隣接した位置に一体形成された第１リブ２ｂ及び第２リブ２ｃとを有した円筒状部品から成る。そして、スロットルパイプ２の表面にハンドルグリップ本体１が形成されると、図３、４に示すように、鍔部１ａの基端側（図中左側）の開口を第１リブ２ｂで塞ぐとともに、第２リブ２ｃで鍔部１ａの内部空間を補強し得るようになっている。
【００３０】
ＬＥＤ４（発光手段）は、通電によって光を照射し得るもので、図５、１４に示すように、所定の電気回路が印刷された基板３上に複数（本実施形態においては２つ）形成されている。本実施形態に係る基板３は、ハンドルグリップ本体１の鍔部１ａの形状に倣った円弧形状とされており、導光体５に形成された取付溝５ｂａ（図９参照）に嵌合して取り付けられるようになっている。
【００３１】
導光体５は、ハンドルグリップ本体１の内部に取り付けられて当該ハンドルグリップ本体１の長手方向（図１のＸ方向）に延設されるとともに、ＬＥＤ４（発光手段）からの光を導くことが可能な透明樹脂又は半透明樹脂等から成るものである。本実施形態に係る導光体５は、図９〜１１に示すように、ハンドルグリップ本体１における鍔部１ａの内部に位置する大径部５ｂと、ハンドルグリップ本体１における把持部１ｂの内部に位置する延設部５ｃと、ハンドルグリップ本体１における先端部１ｃの内部に位置する円環状の突端部５ｄとを有した一体成形部品から成る。
【００３２】
大径部５ｂは、ハンドルグリップ本体１における鍔部１ａの形状に倣った表面形状とされており、延設部５ｃや突端部５ｄ等の他の部位より径が大きく形成された部位から成るとともに、その内周面には基板３を嵌合して固定し得る取付溝５ｂａが形成されている。そして、大径部５ｂから先端側に向かって連続して延設部５ｃ及び突端部５ｄが一体形成されている。
【００３３】
延設部５ｃは、ハンドルグリップ本体１における把持部１ｂの内部に位置するとともに、その表面ｆ２ａには、ハンドルグリップ本体１に形成された貫通孔ｍに嵌入可能な凸部５ａが一体形成されている。また、延設部５ｃの裏面ｆ２ｂには、その長手方向（図９〜１１中Ｘ方向）に亘って微細な凹凸形状（シボ）が形成されている。かかるシボとは、延設部５ｃの裏面に対し付与（シボ加工）された微細な凹凸形状（凹凸模様）をいい、鏡面ではなく表面が粗い状態となって導光体５の内部で導かれる光を乱反射させ得るようになっている。
【００３４】
さらに、本実施形態に係る延設部５ｃに形成されたシボは、ハンドルグリップ本体１の基端側の部位（大径部５ｂ側）より先端側の部位（突端部５ｄ側）の方が凹凸形状が大きく（乱反射が多く）なるよう形成されている。これにより、ＬＥＤ４から照射された光が、導光体５の内部で導かれる過程において、ＬＥＤ４と近接した部位の乱反射を小さくし、且つ、ＬＥＤ４と離間した部位の乱反射を大きくすることができ、ハンドルグリップ本体１の基端側と先端側とで照射される光の光量を均等化させることができる。
【００３５】
またさらに、本実施形態に係る導光体５の延設部５ｃには、スロットルグリップ本体１の一部を充填させてスロットルパイプ２の表面に密着させた開口部５ｅを有している。より具体的には、開口部５ｅは、図１０、１１に示すように、延設部５ｃの長手方向に形成された長孔から成り、スロットルパイプ２に導光体５を組み付け、その上面に軟質樹脂等を成形してハンドルグリップ本体１を形成する際、ハンドルグリップ本体１の一部が開口部５ｅに充填されてスロットルパイプ２の表面に密着することとなるので、スロットルグリップ本体１とスロットルパイプ２とが導光体５を挟みつつ密着して一体化されるようになっている。
【００３６】
一方、大径部５ｂ及び延設部５ｃは、図９〜１１に示すように、円筒状部材を長手方向に対して半割した形状とされるとともに、スロットルパイプ２は、図７、８に示すように、延設部５ｃの裏面ｆ２ｂと合致して組み付け可能な組み付け面ｆ１ａと、延設部５ｃが組み付けられない非組み付け面ｆ１ｂと、先端の周方向に亘って形成された先端面ｆ１ｃとを有している。
【００３７】
そして、組み付け面ｆ１に延設部５ｃの裏面ｆ２ｂを合致させてスロットルパイプ２に導光体５を組み付けると、図１２、１３に示すように、延設部５ｃの表面ｆ２ａとスロットルパイプ２の非組み付け面ｆ１ｂとが周方向に連続した面を形成するとともに、突端部５ｄが先端面ｆ１ｃに合致して組み付けられるようになっている。また、スロットルパイプ２に導光体５を組み付けると、大径部５ｂと第１リブ２ｂ及び第２リブ２ｃとが合致して、周方向に一体の大径な部位を形成している。
【００３８】
しかして、ＬＥＤ４から光を照射すると、その光が導光体５の大径部５ｂから入り込み、延設部５ｃの内部において長手方向に導かれる過程で凹凸形状（シボ）によって乱反射するとともに、貫通孔ｍを介して凸部５ａから外部に向かって照射される。また、突端部５ｄに達した光は、ハンドルグリップ本体１の先端部１ｃ（具体的には、先端部１ｃとウェイト部材Ｗとの間に形成されたクリアランス）から外部に照射されることとなる。
【００３９】
本実施形態によれば、導光体５で導かれたＬＥＤ４（発光手段）の光をハンドルグリップ本体１から外部に照射させるとともに、ＬＥＤ４は、ハンドルグリップ本体１の鍔部１ａの内部に配設されたので、導光体５を利用して安価にハンドルグリップ装置を製造することができるとともに、ハンドルグリップ本体１においてＬＥＤ４を配設するための新たな形状を不要とすることができる。すなわち、通常のハンドルグリップ本体１の基端には、他の部位より大きな径とされた鍔部１ａが形成されるので、その鍔部１ａにＬＥＤ４（発光手段）を配設すれば、新たに大きな部位を形成する必要がなく、ハンドルバーＨ全体を含めた意匠性に影響が及んでしまうのを防止することができるのである。
【００４０】
また、導光体５の裏面ｆ２ｂには、その長手方向に亘って微細な凹凸形状（シボ）が形成されたので、導光体５により導かれる光を凹凸形状（シボ）により乱反射させることができ、ハンドルグリップ本体１の外部に向かって光を良好に照射させることができる。特に、本実施形態に係る導光体５の裏面は、ハンドルグリップ本体１の基端側の部位より先端側の部位の方が凹凸形状が大きくなるよう形成されたので、ハンドルグリップ本体１の基端側と先端側とで照射される光の量（外部に対する光の照射量）を均等化させることができる。
【００４１】
さらに、本実施形態に係るハンドルグリップ本体１は、把持部１ｂにおける所定位置に貫通孔ｍが形成され、当該貫通孔ｍを介して導光体５で導かれたＬＥＤ４（発光手段）の光が外部に照射されるので、貫通孔ｍの形状や大きさを任意のものとすることにより、光の照射による意匠性をより向上させることができる。また、本実施形態に係る導光体５は、貫通孔ｍに嵌入可能な凸部５ａが一体形成されたので、導光体５で導かれる光を貫通孔ｍから外部に向かって良好に照射させることができる。
【００４２】
またさらに、本実施形態に係る導光体５は、ハンドルグリップ本体１の先端部１ｃまで延設されるとともに、当該ハンドルグリップ本体１の先端部１ｃから導光体５で導かれたＬＥＤ４（発光手段）の光が外部に照射されるので、把持部１ｂが運転者によって把持されて覆われていても、ハンドルグリップ本体１の先端部１ｃから光を照射して意匠性の向上を図ることができる。
【００４３】
さらに、本実施形態に係る導光体５は、ハンドルグリップ本体１における鍔部１ａの内部に位置する大径部５ｂと、ハンドルグリップ本体１における把持部１ｂの内部に位置する延設部５ｃと、ハンドルグリップ本体１における先端部１ｃの内部に位置する突端部５ｄとを有した一体成形部品から成るとともに、ＬＥＤ４（発光手段）は、大径部５ｂに取り付けられたので、導光体５がＬＥＤ４の光を導く機能と、ＬＥＤ４を固定させる機能とを兼ね備えることができる。また、導光体５にＬＥＤ４が取り付けられるので、導光体５とＬＥＤＤ４との位置決めを正確に行わせることができる。
【００４４】
またさらに、本実施形態に係る大径部５ｂは、ＬＥＤ４（発光手段）が形成された基板３を嵌合して固定可能な取付溝５ｂａが形成されたので、ＬＥＤ４が形成された基板３を容易且つ確実に取り付けることができる。また、本実施形態に係る導光体５は、ハンドルバーＨに対して回転可能なスロットルパイプ２の表面に形成されるとともに、スロットルグリップ本体１の一部を充填させてスロットルパイプ２の表面に密着させた開口部５ｅを有するので、導光体５の材質に関わらず、スロットルパイプ２に対してスロットルグリップ本体１をより強固且つ安定して取り付けることができる。
【００４５】
以上、本実施形態について説明したが、本発明はこれに限定されず、例えば光源は、ＬＥＤ４に限らず、光を照射し得る他の発光手段であってもよく、導光体５は、発光手段の光を導くことが可能であれば、樹脂材料とは異なる材料（例えばガラス等）としてもよい。また、本実施形態においては、ハンドルバーの右側先端に取り付けられるハンドルグリップ装置とされているがハンドルバーの左側先端に取り付けられるハンドルグリップ装置に適用してもよい。なお、本実施形態においては、二輪車に適用されているが、他の車両（ＡＴＶ、雪上車などハンドルバーを具備した車両）に適用してもよい。
【産業上の利用可能性】
【００４６】
ハンドルグリップ本体の鍔部の内部に発光手段が配設されたハンドルグリップ装置であれば、外観形状が異なるもの或いは他の機能が付加されたもの等にも適用することができる。
【符号の説明】
【００４７】
１  ハンドルグリップ本体
１ａ  鍔部
１ｂ  把持部
１ｃ  先端部
２  スロットルパイプ
２ａ  取付部位
２ｂ  第１リブ
２ｃ  第２リブ
３  基板
４  ＬＥＤ（発光手段）
５  導光体
５ａ  凸部
５ｂ  大径部
５ｂａ  取付溝
５ｃ  延設部
５ｄ  突端部
５ｅ  開口部
Ｈ  ハンドルバー
ｍ  貫通孔
Ｗ  ウェイト部材
【図１】
2020032989.tif 000003
【図２】
2020032989.tif 000004
【図３】
2020032989.tif 000005
【図４】
2020032989.tif 000006
【図５】
2020032989.tif 000007
【図６】
2020032989.tif 000008
【図７】
2020032989.tif 000009
【図８】
2020032989.tif 000010
【図９】
2020032989.tif 000011
【図１０】
2020032989.tif 000012
【図１１】
2020032989.tif 000013
【図１２】
2020032989.tif 000014
【図１３】
2020032989.tif 000015
【図１４】
2020032989.tif 000016